(57)【要約】【課題】レンズ支持部材に発生する２次共振が対物レンズに与える影響を低減することが可能な、新規かつ改良された光ピックアップ装置及び光ディスク装置を提供すること。【解決手段】複数の対物レンズ１６０，１６１を保持する保持部１２１と、保持部の一側にのみ設けられ、保持部を駆動する駆動力を受ける駆動受け部１２２とを有するレンズ支持部材１２０を備え、対物レンズの中心が、レンズ支持部材に発生する保持部と駆動受け部とを結ぶ方向に伝播する２次共振による振動の複数の節のうちの１つの節の部分となり、保持部には、駆動受け部と反対側に余剰部分が設けられたことを特徴とする。【選択図】図４
2009295217.tif 000002
【特許請求の範囲】
【請求項１】
複数の対物レンズを保持する保持部と、
前記保持部の一側にのみ設けられ、前記保持部を駆動する駆動力を受ける駆動受け部と
を有するレンズ支持部材を備え、
前記対物レンズの中心が、前記レンズ支持部材に発生する前記保持部と前記駆動受け部とを結ぶ方向に伝播する２次共振による振動の複数の節のうちの１つの節の部分となり、
前記保持部には、前記駆動受け部と反対側に余剰部分が設けられた、光ピックアップ装置。
【請求項２】
複数の対物レンズを保持する保持部と、
前記保持部の一側にのみ設けられ、前記保持部を駆動する駆動力を受ける駆動受け部と
を有するレンズ支持部材を備え、
前記対物レンズの中心が、前記レンズ支持部材に発生する前記保持部と前記駆動受け部とを結ぶ方向に伝播する２次共振による振動の複数の節のうちの１つの節の部分となり、
前記対物レンズは、前記保持部において前記駆動受け部側に配置され、
前記保持部は、前記保持部の一端から前記対物レンズの端部まで所定の長さを有する余剰部分を残して形成された、光ピックアップ装置。
【請求項３】
複数の対物レンズを保持する保持部と、
前記保持部の一側にのみ設けられ、前記保持部を駆動する駆動力を受ける駆動受け部と
を有するレンズ支持部材を備え、
前記対物レンズの中心が、前記レンズ支持部材に発生する前記保持部と前記駆動受け部とを結ぶ方向に伝播する２次共振による振動の複数の節のうちの１つの節の部分となり、
前記レンズ支持部材は、前記保持部を挟んで前記駆動受け部と反対側に前記保持部から突出して設けられた突設部を更に有する、光ピックアップ装置。
【請求項４】
前記複数の対物レンズのうち少なくとも２つの前記対物レンズは、前記保持部と前記駆動受け部とを結ぶ方向に対して略垂直方向に前記保持部に配置された、請求項１〜３のいずれかに記載の光ピックアップ装置。
【請求項５】
前記駆動受け部は、
第１の磁石が貫通し、前記第１の磁石に対向して第１のコイルが内面に配置され、前記対物レンズを通過する光の光軸方向に貫通した第１の貫通孔と、
前記保持部と前記第１の貫通孔との間に設けられ、第２の磁石が貫通し、前記第２の磁石に対向して第２のコイルが内面に配置され、前記光の光軸方向に貫通した第２の貫通孔と、
を有する、請求項１〜４のいずれかに記載の光ピックアップ装置。
【請求項６】
光ディスクに向けて光を照射する発光素子と、
前記光が通過して前記光を前記光ディスクに集光可能な複数の対物レンズと、
前記対物レンズを通過する前記光の光軸方向に延設された第１の磁石と、
前記第１の磁石と離隔して、前記光の光軸方向に延設された第２の磁石と、
前記複数の対物レンズを保持する保持部と、前記第１の磁石が貫通し、前記第１の磁石に対向して第１のコイルが内面に配置され、前記光の光軸方向に貫通した第１の貫通孔と、前記保持部と前記第１の貫通孔との間に設けられ、前記第２の磁石が貫通し、前記第２の磁石に対向して第２のコイルが内面に配置され、前記光の光軸方向に貫通した第２の貫通孔とを有するレンズ支持部材と
を備え、
前記対物レンズの中心が、前記レンズ支持部材に発生する前記保持部と前記駆動受け部とを結ぶ方向に伝播する２次共振による振動の複数の節のうちの１つの節の部分となり、
前記保持部には、前記駆動受け部と反対側に余剰部分が設けられた、光ディスク装置。
【請求項７】
前記対物レンズの前記光の入射側に設けられ、前記発光素子から照射された前記光を反射する反射部材を更に備え、
前記発光素子から照射された前記光は前記反射部材でほぼ垂直に反射されて前記対物レンズに入射される、請求項６に記載の光ディスク装置。
【請求項８】
前記レンズ支持部材は、前記第１の磁石と前記第２の磁石とを結ぶ方向が前記光ディスクのラジアル方向に対して略垂直方向となるように設けられた、請求項６又は７に記載の光ディスク装置。
【請求項９】
前記複数の対物レンズのうち少なくとも２つの前記対物レンズは、前記光ディスクのラジアル方向に対して略平行方向となるように設けられた、請求項６〜８のいずれかに記載の光ディスク装置。
【発明の詳細な説明】
【技術分野】
【０００１】
本発明は、光ピックアップ装置及び光ディスク装置に関する。
【背景技術】
【０００２】
光ディスク（ドライブ）装置は、ＣＤ、ＤＶＤ、ブルーレイディスクなどの光ディスク等のデータ記録面にデータを書き込んだり、データ記録面に記録されたデータを読み込んだりする。光ディスク装置には、光ディスクにレーザー光を照射し、光ディスクからの反射光を受光する光ピックアップ装置が設けられる。
【０００３】
光ピックアップ装置は、高速回転する光ディスクに対物レンズを追従させるアクチュエータを有する。アクチュエータには、例えば、対物レンズをフォーカス方向とトラッキング方向との２軸方向に駆動可能な２軸アクチュエータや、上記２軸方向に加えて対物レンズをチルト方向に駆動可能な３軸アクチュエータなどがある。そして、アクチュエータは、レンズを保持するレンズホルダ、レンズホルダを駆動するためのマグネットや電磁コイル等からなる。
【０００４】
例えば、特許文献１には、光ピックアップ装置の一例が開示されている。
【０００５】
【特許文献１】特許第３７１１７２２号公報
【発明の開示】
【発明が解決しようとする課題】
【０００６】
ところで、光ピックアップ装置のアクチュエータは、駆動時や外部からの入力によって振動が発生する。そのため、アクチュエータの設計では、アクチュエータに発生する共振を考慮する必要がある。例えば、特許文献１では、２軸アクチュエータのホルダの両側面部と対物レンズとの間のホルダ部分に貫通するスリット孔を形成することで、ホルダの両側面部に発生する２次共振による振動が対物レンズを搭載したホルダに伝達しないようにしている。
【０００７】
特許文献１のアクチュエータは、１つの対物レンズが両側のマグネット及びコイルに挟まれた構成を有する。一方、アクチュエータのレンズホルダには、対物レンズが一端側に配置され、他端側にコイルを有する駆動受け部が配置されるものがある。
【０００８】
このように、アクチュエータは様々な形状があり、それぞれによって共振特性を考慮する必要がある。ところで、光ディスク装置に設けられる光ピックアップ装置は、近年小型化の要求がある。そのため、従来行われてきた共振特性を調整するための方法、例えばスリットを設けるという方法やアクチュエータの材料選定だけでは限界が生じてきているという問題があった。
【０００９】
そこで、本発明は、上記問題に鑑みてなされたものであり、本発明の目的とするところは、レンズ支持部材に発生する２次共振が対物レンズに与える影響を低減することが可能な、新規かつ改良された光ピックアップ装置及び光ディスク装置を提供することにある。
【課題を解決するための手段】
【００１０】
上記課題を解決するために、本発明のある観点によれば、複数の対物レンズを保持する保持部と、保持部の一側にのみ設けられ、保持部を駆動する駆動力を受ける駆動受け部とを有するレンズ支持部材を備え、対物レンズの中心が、レンズ支持部材に発生する保持部と駆動受け部とを結ぶ方向に伝播する２次共振による振動の複数の節のうちの１つの節の部分となり、保持部には、駆動受け部と反対側に余剰部分が設けられた光ピックアップ装置が提供される。
【００１１】
また、上記課題を解決するために、本発明の別の観点によれば、複数の対物レンズを保持する保持部と、保持部の一側にのみ設けられ、保持部を駆動する駆動力を受ける駆動受け部とを有するレンズ支持部材を備え、対物レンズの中心が、レンズ支持部材に発生する保持部と駆動受け部とを結ぶ方向に伝播する２次共振による振動の複数の節のうちの１つの節の部分となり、対物レンズは、保持部において駆動受け部側に配置され、保持部は、保持部の一端から対物レンズの端部まで所定の長さを有する余剰部分を残して形成された光ピックアップ装置が提供される。
【００１２】
また、上記課題を解決するために、本発明の別の観点によれば、複数の対物レンズを保持する保持部と、保持部の一側にのみ設けられ、保持部を駆動する駆動力を受ける駆動受け部とを有するレンズ支持部材を備え、対物レンズの中心が、レンズ支持部材に発生する保持部と駆動受け部とを結ぶ方向に伝播する２次共振による振動の複数の節のうちの１つの節の部分となり、レンズ支持部材は、保持部を挟んで駆動受け部と反対側に保持部から突出して設けられた突設部を更に有する光ピックアップ装置が提供される。
【００１３】
上記複数の対物レンズのうち少なくとも２つの対物レンズは、保持部と駆動受け部とを結ぶ方向に対して略垂直方向に保持部に配置されてもよい。
【００１４】
上記駆動受け部は、第１の磁石が貫通し、第１の磁石に対向して第１のコイルが内面に配置され、対物レンズを通過する光の光軸方向に貫通した第１の貫通孔と、保持部と第１の貫通孔との間に設けられ、第２の磁石が貫通し、第２の磁石に対向して第２のコイルが内面に配置され、光の光軸方向に貫通した第２の貫通孔とを有してもよい。
【００１５】
また、上記課題を解決するために、本発明の別の観点によれば、光ディスクに向けて光を照射する発光素子と、光が通過して光を光ディスクに集光可能な複数の対物レンズと、対物レンズを通過する光の光軸方向に延設された第１の磁石と、第１の磁石と離隔して、光の光軸方向に延設された第２の磁石と、複数の対物レンズを保持する保持部と、第１の磁石が貫通し、第１の磁石に対向して第１のコイルが内面に配置され、光の光軸方向に貫通した第１の貫通孔と、保持部と第１の貫通孔との間に設けられ、第２の磁石が貫通し、第２の磁石に対向して第２のコイルが内面に配置され、光の光軸方向に貫通した第２の貫通孔とを有するレンズ支持部材とを備え、対物レンズの中心が、レンズ支持部材に発生する保持部と駆動受け部とを結ぶ方向に伝播する２次共振による振動の複数の節のうちの１つの節の部分となり、保持部には、駆動受け部と反対側に余剰部分が設けられた光ディスク装置が提供される。
【００１６】
上記対物レンズの光の入射側に設けられ、発光素子から照射された光を反射する反射部材を更に備え、発光素子から照射された光は反射部材でほぼ垂直に反射されて対物レンズに入射されてもよい。
【００１７】
上記レンズ支持部材は、第１の磁石と第２の磁石とを結ぶ方向が光ディスクのラジアル方向に対して略垂直方向となるように設けられてもよい。
【００１８】
上記複数の対物レンズのうち少なくとも２つの対物レンズは、光ディスクのラジアル方向に対して略平行方向となるように設けられてもよい。
【発明の効果】
【００１９】
本発明によれば、レンズ支持部材に発生する２次共振が対物レンズに与える影響を低減することができる。
【発明を実施するための最良の形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２１】
まず、図１を参照して、本発明の第１の実施形態に係る光ディスク装置１００について説明する。図１は、本実施形態に係る光ディスク装置１００の構成を示すブロック図である。
【００２２】
光ディスク装置１００は、図１に示すように、光ピックアップ１０２と、光ディスク（光ディスク記録媒体）１０を回転駆動するスピンドルモータ１０４と、送りモータ１０６と、駆動制御部１０８と、信号処理部１１０と、信号変復調部１１２と、システムコントローラ１１４と、操作部１１６などからなる。
【００２３】
光ピックアップ１０２は、光ピックアップ装置の一例であり、光ディスク１０にレーザー光を照射したり、光ディスク１０で反射した光を受光したりする。光ピックアップ１０２は、図２などを参照して後述するとおり、対物レンズ１６０，１６１、対物レンズ１６０，１６１を駆動する２軸アクチュエータ１１８、発光素子（例えばレーザーダイオード１５０，１５１）、受光素子（例えばフォトディテクタ１５４）などを有している。
【００２４】
光ピックアップ１０２の対物レンズ１６０，１６１は、２軸アクチュエータ１１８によってトラッキング制御やフォーカス制御されながら駆動される。また、対物レンズ１６０，１６１は、レーザーダイオード１５０，１５１から照射されたレーザー光を光ディスク１０に集光する。対物レンズ１６０，１６１は、光ディスク１０上にレーザー光を光スポットとして集光可能である。
【００２５】
２軸アクチュエータ１１８は、高速回転する光ディスク１０に対物レンズ１６０，１６１を追従させる駆動装置である。２軸アクチュエータ１１８は、駆動制御部１０８から駆動信号を受ける。２軸アクチュエータ１１８は、対物レンズ１６０，１６１をフォーカス方向とトラッキング方向との２軸方向に駆動可能である。２軸アクチュエータ１１８は、光ディスク１０のデータ記録面におけるレーザー光のフォーカスを調節する。なお、対物レンズ１６０，１６１の駆動は２軸アクチュエータ１１８に限定されず。３軸アクチュエータであってもよい。このとき、３軸アクチュエータは、対物レンズをフォーカス制御、トラッキング制御するだけでなく、チルト制御もする。
【００２６】
レーザーダイオード１５０，１５１は、駆動制御部１０８から駆動信号を受けて、レーザー光を光ディスク１０に発光する。
また、フォトディテクタ１５４は、光ディスク１０で反射したレーザー光の反射光を受光する。フォトディテクタ１５４は、受光したレーザー光を電気信号に変換して、信号を信号処理部１１０に出力する。
【００２７】
スピンドルモータ１０４は、駆動制御部１０８から駆動信号を受ける。スピンドルモータ１０４は、光ディスク１０を載置するディスクテーブル（図示せず。）を所定の速度で回転駆動する。
送りモータ１０６は、駆動制御部１０８から駆動信号を受ける。送りモータ１０６は、送り機構を介して光ピックアップ１０２を光ディスク１０の半径方向（ラジアル方向）に移動する。光ピックアップ１０２は、所定の位置に移動されることによって所定データの記録再生が可能となる。
【００２８】
駆動制御部１０８は、システムコントローラ１１４からトラッキングエラー信号やフォーカスエラー信号を受け、光ピックアップ１０２の２軸アクチュエータ１１８の駆動に関する駆動信号を生成する。駆動制御部１０８は、生成した駆動信号を光ピックアップ１０２の２軸アクチュエータ１１８に送る。
また、駆動制御部１０８は、システムコントローラ１１４から制御信号を受け、光ピックアップ１０２のレーザーダイオード１５０，１５１、スピンドルモータ１０４、送りモータ１０６の駆動に関する駆動信号を生成する。駆動制御部１０８は、生成した駆動信号をレーザーダイオード１５０，１５１、スピンドルモータ１０４、送りモータ１０６に送る。
【００２９】
信号処理部１１０は、光ピックアップ１０２から、レーザー光の反射光に基づいた出力信号を受ける。信号処理部１１０は、受けた信号をアナログ信号からデジタル信号に変換したり、増幅したりするなどの信号処理を行う。信号処理部１１０は、信号処理して生成した信号を信号変復調部１１２や駆動制御部１０８に送る。
【００３０】
信号変復調部１１２は、データ再生時、信号処理部１１０から信号を受けて、信号の復調処理を行う。また、信号変復調部１１２は、データ記録時、外部から受けた信号に基づいて、信号の変調処理を行い、処理済の信号を信号処理部１１０に送る。
【００３１】
システムコントローラ１１４は、操作部１１６との信号の入出力が行われる。また、システムコントローラ１１４には、信号変復調部１１２から出力された出力信号が入力される。システムコントローラ１１４は、信号変復調部１１２から出力された出力信号に基づいて、トラッキングエラー信号やフォーカスエラー信号を生成する。システムコントローラ１１４は、生成したトラッキングエラー信号やフォーカスエラー信号を駆動制御部１０８に送る。
また、システムコントローラ１１４は、信号変復調部１１２から出力された出力信号に基づいて、レーザーダイオード１５０，１５１、スピンドルモータ１０４、送りモータ１０６を制御する制御信号を生成する。システムコントローラ１１４は、生成した制御信号を駆動制御部１０８に送る。
【００３２】
以下、上記の構成を有する光ディスク装置１００の動作について説明する。データ記録時においては、図示しない外部のコンピュータからインターフェースを介して入力されたデジタルデータが、信号変復調部１１２でエラー訂正符号（ＥＣＣ）が付加されて変調される。変調されたデジタルデータに基づき、レーザー光を制御する駆動制御部１０８によりパルスが生成され、光ピックアップ１０２を介して光ディスク１０にレーザー光が照射されることで、デジタルデータが記録される。また、駆動制御部１０８によって、適宜サーボ制御がなされる。
【００３３】
一方、データ再生時においては、レーザー光が光ディスク１０に照射されると、その戻り反射光が光ピックアップ１０２のフォトディテクタ１５４によって検出される。フォトディテクタ１５４によって検出された反射光は、信号処理部１１０において増幅、波形等化等が計算されて、再生信号が再生され、再生信号が２値化されたビット列が生成される。生成されたビット列は、信号変復調部１１２により信号復調及びエラー訂正が行われる。復調された信号は、システムコントローラ１１４における映像音声処理よって映像データ及び音声データに分離され、Ｄ／Ａ変換がなされてアナログ出力される。データ再生の際も、駆動制御部１０８によって、適宜サーボ制御がなされる。
【００３４】
次に、図２〜図４を参照して、本実施形態に係る光ピックアップ１０２の構成について説明する。図２は、本実施形態に係る光ピックアップ１０２を示す平面図である。図３は、本実施形態に係る光ピックアップ１０２を示す側面図である。図４は、本実施形態に係る光ピックアップ１０２を示す斜視図である。
【００３５】
光ピックアップ１０２は、図２〜図４に示すように、例えば、２軸アクチュエータ１１８と、光学部品（例えば、レーザーダイオード１５０，１５１と、プリズム１５２と、復路光学素子１５３と、フォトディテクタ１５４と、コリメータレンズ１５５と、反射ミラー１５６と、対物レンズ１６０，１６１などを有する）等からなる。
【００３６】
光ピックアップ１０２は、１つの２軸アクチュエータ１１８に対して２系統の光学部品が並列されて構成される。これにより、例えば波長の異なるレーザー光を照射することができ、ＤＶＤとブルーレイディスクといった２つの規格について、１台の光ディスク装置１００で記録再生することができる。
【００３７】
なお、図２〜図４では、２系統の光学部品の配置構成は、対称であるように示したが、本発明はかかる例に限定されない。光ピックアップ１０２が、光ディスク１０からのデータの読み取りや光ディスク１０のデータの書き込みを２系統で行うことができれば、他の配置構成であってもよい。
【００３８】
レーザーダイオード１５０，１５１は、プリズム１５２、コリメータレンズ１５５を介して反射ミラー１５６の方向へレーザー光を照射する。レーザーダイオード１５１から照射されたレーザー光は、対物レンズ１６０，１６１を介して光ディスク１０に集光される。レーザーダイオード１５１は、例えばレーザーダイオード１５０より波長が短いレーザー光を照射する。例えば、レーザーダイオード１５０は、ＤＶＤ等の光ディスクに対応したレーザー光を照射し、レーザーダイオード１５１は、ブルーレイディスク等の高密度記録光ディスクに対応したレーザー光を照射する。なお、レーザーダイオード１５０，１５１は、同一波長のレーザー光を照射してもよい。
【００３９】
プリズム１５２は、レーザーダイオード１５０，１５１から照射されたレーザー光を透過させて、コリメータレンズ１５５にレーザー光を導く。また、プリズム１５２は、光ディスク１０で反射した反射光を例えば約９０°反射させて、復路光学素子１５３に反射光を導く。
復路光学素子１５３は、例えば集光レンズであり、フォトディテクタ１５４に反射光を集光する。フォトディテクタ１５４は、反射光を受光し、受光した光を電気信号に変換する。
【００４０】
コリメータレンズ１５５は、レーザーダイオード１５０，１５１からのレーザー光を発散光から平行光に変える。
反射ミラー１５６は、反射部材の一例であり、レーザーダイオード１５０又はレーザーダイオード１５１側に傾斜面が形成されている。レーザーダイオード１５０，１５１から発光されたレーザー光の大部分は９０°反射されて、光ディスク１０の方向へ導かれる。反射ミラー１５６は、対物レンズ１６０，１６１の下部に配置される。
【００４１】
対物レンズ１６０は、レーザーダイオード１５０から照射されるレーザー光に対応した集光レンズであり、対物レンズ１６１は、レーザーダイオード１５１から照射されるレーザー光に対応した集光レンズである。例えば、レーザーダイオード１５１がレーザーダイオード１５０より波長が短いレーザー光を照射する場合、対物レンズ１６１の直径は対物レンズ１６０より短い。
【００４２】
対物レンズ１６０，１６１は、レンズホルダ１２０の一端側に設けられ、レンズホルダ１２０の他端側に駆動コイル１２５，１２６が設けられる。従って、対物レンズの両側に駆動コイルが設けられる場合よりも、反射ミラー１５６が設置できる位置は対物レンズ１６０，１６１に近くすることができる。これにより、レーザーダイオード１５０，１５１の設置位置と対物レンズ１６０，１６１の設置位置の距離を短縮することができるため、光ピックアップ１０２の厚さを薄くすることが可能となる。
【００４３】
対物レンズ１２０，１２１は、レンズ保持部１２１と駆動受け部１２２とを結ぶ方向に対して略垂直方向にレンズ保持部１２１に配置される。また、対物レンズ１２０，１２１は、光ディスクのラジアル方向に対して略平行方向となるように設けられる。
【００４４】
なお、光ピックアップ１０２の光学部品は、上述した各光学部品に限定されず、他の構成部品を含んでもよい。また、光学部品は、レーザー光の光ディスク１０への照射、光ディスク１０からの反射光の受光が可能であれば他の構成であってもよい。
【００４５】
次に、２軸アクチュエータ１１８について説明する。２軸アクチュエータ１１８は、図２〜図４に示すように、例えば対物レンズ１６０，１６１や駆動コイル１２５，１２６を保持するレンズホルダ１２０と、マグネット１３２と、レンズホルダ１２０を吊持するサスペンション１４２と、サスペンション１４２を固定支持するサスペンション固定部材１４０などからなる。
【００４６】
レンズホルダ１２０は、レンズ支持部材の一例であり、一端側の上面で対物レンズ１６０，１６１を保持する。レンズホルダ１２０には、２つの貫通孔（図示せず。）が設けられ、２つの貫通孔の上にそれぞれ対物レンズ１６０，１６１が設けられる。これにより、レーザーダイオード１５０，１５１から照射されたレーザー光は、貫通孔を経て対物レンズ１６０，１６１を通過し、光ディスク１０に照射される。
【００４７】
レンズホルダ１２０は、対物レンズ１６０，１６１の反対の他端側に、マグネット１３２が貫通する貫通孔１２３，１２４（図６参照）が設けられる。貫通孔１２３，１２４の内面には、駆動コイル１２５，１２６が設置される。レンズホルダ１２０は、連結部１２７を介して、サスペンション１４２によって吊持される。連結部１２７は、レンズホルダ１２０の側面に設けられる。本実施形態のレンズホルダ１２０は、２つのマグネット１３２を結ぶ方向が光ディスク１０のラジアル方向に対して略垂直方向となるように設けられる。
【００４８】
サスペンション１４２は、例えばワイヤであり、弾性部材である。サスペンション１４２は一端が連結部１２７と接続され、他端がサスペンション固定部材１４０と接続される。サスペンション１４２は、連結部１２７を介してレンズホルダ１２０を弾性的に吊持する。サスペンション１４２は、レンズホルダ１２０を挟んで対に設けられ、例えば図３及び図４に示すように、一側において上下方向に２つずつ設けられる。
【００４９】
サスペンション１４２は、弾性部材としての弾性性能を発揮する。サスペンション１４２は、サスペンション固定部材１４０側を固定端、レンズホルダ１２０側を自由端として撓む。サスペンション１４２の長さを所定値より長くすることで、レンズホルダ１２０の移動方向を直線上にすることができる。
【００５０】
サスペンション固定部材１４０は、マグネット１３２を挟んで対物レンズ１６０，１６１と反対側に配置される。サスペンション固定部材１４０の両端には、サスペンション１４２が接続される。サスペンション固定部材１４０は、例えば光ピックアップ１０２のベースプレートなどと連結、固定されて、安定的にサスペンション１４２を支持する。
【００５１】
次に、２軸アクチュエータ１１８のマグネット１３２及びレンズホルダ１２０について詳しく説明する。
図５は、本実施形態に係るマグネット１３２及びマグネット固定部１３０を示す斜視図である。図６は、本実施形態に係るレンズホルダ１２０を示す上面図であり、レンズホルダ１２０において対物レンズ１６０，１６１が載置された側を示す。図７は、本実施形態に係るレンズホルダ１２０を示す側面図である。図８は、本実施形態に係るレンズホルダ１２０を示す下面図であり、図６で示したレンズホルダ１２０の反対の面を示す。図９は、本実施形態に係るレンズホルダ１２０を示す斜視図であり、レンズホルダ１２０を図６で示した上面から見た図である。図１０は、本実施形態に係るレンズホルダ１２０を示す斜視図あり、レンズホルダ１２０を図８で示した下面から見た図である。
【００５２】
レンズホルダ１２０は、２つの対物レンズ１６０，１６１を保持するレンズ保持部１２１と、２つの貫通孔１２３，１２４が設けられた駆動受け部１２２の２つの領域からなる。
【００５３】
まず、マグネット１３２と駆動コイル１２５，１２６について説明する。マグネット１３２と駆動コイル１２５，１２６は、互いに対向して設けられ、レンズホルダ１２０をフォーカス方向又はトラッキング方向に駆動する。２つのマグネット１３２は、２つのマグネット１３２を結ぶ方向が光ディスク１０のラジアル方向に対して略垂直方向となるように設けられる。
【００５４】
マグネット１３２は、第１の磁石及び第２の磁石の一例であり、本実施形態では図５に示すように２つ設けられる。２つのマグネット１３２は、図２〜図４で示したように、それぞれレンズホルダ１２０の貫通孔１２３，１２４（図６参照）に挿入される。
マグネット１３２は、駆動コイル１２５，１２６と対向する面と反対の面でヨーク１３１に固定される。本実施形態では、２つのマグネット１３２とマグネット１３２を固定するヨーク１３１とでマグネット固定部１３０として１つのユニットを構成する。マグネット固定部１３０は、例えば光ピックアップ１０２のベースプレートなどと連結、固定される。
マグネット１３２は、マグネットと駆動コイルが対向する２軸アクチュエータに通常適用される構成を有しており、それぞれのマグネット１３２の着磁、磁力線方向などの詳しい説明は省略する。
【００５５】
駆動受け部１２２には、２つの貫通孔１２３，１２４が形成される。２つの貫通孔１２３，１２４は駆動受け部１２２とレンズ保持部１２１を結ぶ方向に並列して形成される。貫通孔１２３，１２４は、対物レンズ１６０，１６１を貫通するレーザー光の光軸方向に貫通している。駆動受け部１２２は、駆動コイル１２５，１２６が設けられており、駆動コイル１２５，１２６の駆動とマグネット１３２の作用によって生じるレンズ保持部１２１を駆動する駆動力を受ける。貫通孔１２３は、第１の貫通孔の一例であり、貫通孔１２４は、第２の貫通孔の一例である。
【００５６】
駆動コイル１２５は、フォーカシング駆動コイルであり、駆動コイル１２５が駆動すると対物レンズ１６０，１６１のフォーカシング方向（対物レンズ１６０，１６１を通過するレーザー光の光軸方向）の制御がされる。駆動コイル１２５は、レンズホルダ１２０に形成された貫通孔１２３の内面に配置される。駆動コイル１２５は、貫通孔１２３の４つの内面に沿って巻回されており、駆動コイル１２５の中心に２つのマグネット１３２のうち１つのマグネット１３２が挿入される。駆動コイル１２５は第１のコイルの一例である。
【００５７】
駆動コイル１２６は、トラッキング駆動コイルであり、駆動コイル１２６が駆動すると対物レンズ１６０，１６１はトラッキング方向（光ディスク１０のラジアル方向）の制御がされる。駆動コイル１２６は、レンズホルダ１２０に形成された貫通孔１２４の内面のうち１面にトラッキング方向に１つずつ配置される。駆動コイル１２５，１２６は、２軸アクチュエータに通常適用される構成を有している。駆動コイル１２５，１２６の各コイルは、銅線などの金属線を巻回して形成される。駆動コイル１２６は、第２のコイルの一例である。
【００５８】
本実施形態に係る２軸アクチュエータ１１８の動作は次のとおりである。すなわち、２軸アクチュエータ１１８は、駆動コイル１２５，１２６にフォーカス駆動信号が入力されることで、レンズホルダ１２０をフォーカス制御方向（フォーカシング方向、即ち、対物レンズ１６０，１６１におけるレーザー光の進行方向）に駆動する。また、２軸アクチュエータ１１８は、駆動コイル１２５にトラッキング駆動信号が入力されることで、レンズホルダ１２０をトラッキング方向に駆動する。
【００５９】
次に、レンズホルダ１２０のレンズ保持部１２１について詳しく説明する。
レンズホルダ１２０には、駆動受け部１２２の一端側、例えば貫通孔１２４に隣接してレンズ保持部が設けられる。レンズ保持部１２１は、保持部の一例であり、対物レンズ１６０，１６１を保持する。レンズ保持部１２１は例えば板状部材である。レンズ保持部１２１の上面には図６や図９に示すように対物レンズ１６０，１６１の周囲に凹部１２８が形成される。凹部１２８には、対物レンズ１６０，１６１をレンズホルダ１２０に固定する接着剤等が配設される。レンズ保持部１２１には、対物レンズ１６０，１６１は、光ディスク１０のラジアル方向に並列される。
【００６０】
レンズホルダ１２０において、対物レンズ１６０，１６１は、対物レンズ１６０，１６１を挟んで駆動受け部１２２と反対側に余剰部分１２１Ａが設けられるように設置される。余剰部分１２１Ａは、レンズ保持部と同様の板厚でもよいし、異なる厚さでもよい。レンズ保持部１２１は、レンズホルダ１２０の一端から対物レンズ１６０，１６１の端部まで所定長さとなるように余剰部分１２１Ａを残して形成される。
【００６１】
即ち、レンズホルダ１２０において、対物レンズ１６０，１６１は、レンズ保持部１２１の平面上で、対物レンズ１６０，１６１の直径に比べて駆動受け部１２２側に偏って配置されている。更に言い換えると、レンズホルダ１２０において対物レンズ１６０，１６１の端部からレンズホルダ１２０の一端の方向にレンズ保持部１２１の部材の一部が伸長して設けられている。
【００６２】
上記の余剰部分１２１Ａの所定の長さは、レンズホルダ１２０に発生するレンズ保持部１２１と駆動受け部１２２とを結ぶ方向に伝播する２次共振の振動によって決定される。即ち、対物レンズ１６０，１６１は、レンズホルダ１２０に発生する上記２次共振の振動の節の部分が対物レンズ１６０，１６１の中心となるように、レンズ保持部１２１に配置される。
その結果、レンズホルダ１２０に２次共振が発生したとき、対物レンズ１６０，１６１の中心が２次共振による振動の節の部分と一致するため、対物レンズ１６０，１６１の振動による移動を低減することができる。
【００６３】
余剰部分１２１Ａの一端部には、さらに突起部１２１Ｂが設けられてもよい。突起部１２１Ｂが設けられることで、２次共振による振動の節の位置を調整したり、レンズホルダ１２０のバランスを調整したりすることができる。
【００６４】
図１１を参照して、レンズホルダ１２０に生じる２次共振について説明する。図１１は、従来のレンズホルダ２０を示す側面図と、２次共振による振動を示す模式図である。図１１では、従来のレンズホルダ２０に駆動コイル２５，２６と対物レンズ６０が設けられている。また、図１１の従来のレンズホルダ２０の一端側に本実施形態のレンズホルダ１２０の余剰部分１２１Ａに該当する部分を仮想線（二点鎖線）で示している。
【００６５】
従来のレンズホルダ２０に２次共振による振動が発生した場合、通常、上段に示す振動の模式図のように、２次共振による振動の節の部分と対物レンズ６０，６１の中心とは一致しない。そのため、レンズホルダ２０に２次共振が発生したとき、対物レンズ６０，６１の中心には振幅が生じる。
【００６６】
このとき、対物レンズを２次共振による振動の節の部分に移動させたものが本実施形態である。但し、対物レンズを節の部分に移動させるとき、レンズホルダ全体の全長を短くすることはできない。レンズホルダ全体の全長を短くすると、図１１の中段に示す振動の模式図のように、節の位置も移動してしまうからである。
【００６７】
そこで、従来のレンズホルダ２０の全長をそのままにして対物レンズ６０，６１の中心を移動させることができればよい。しかし、従来のレンズホルダ２０の全長をそのままにして対物レンズ６０，６１の中心を移動させようとしても、節の部分を対物レンズ６０，６１の中心と一致させることは不可能である。対物レンズ６０，６１が保持されたレンズ保持部の一端側には、マグネットが貫通し駆動コイル２６が設けられた貫通孔が設けられているため、対物レンズ６０，６１が移動可能な距離には限界があるからである。
【００６８】
例えば、直径が約３ｍｍの対物レンズ６０，６１を保持するレンズホルダ２０の場合について検討する。このとき、シミュレーション結果によれば、従来のレンズホルダ２０において、対物レンズ６０，６１を約０．８〜０．９ｍｍ移動させることができれば、節の部分を対物レンズ６０，６１の中心と一致させることができる。しかし、貫通孔と対物レンズ６０，６１の間には約０．３ｍｍの接着しろが必要であるため、０．５ｍｍ程度しか移動できないという結果となった。そのため、節の部分を対物レンズ６０，６１の中心と一致させることができない。
【００６９】
そこで、本実施形態では、図１１の下段に示す振動の模式図のようにレンズホルダの全長を従来と比較して伸長し、レンズ保持部１２１に余剰部分１２１Ａを設けることとした。図１２に、従来のレンズホルダ２０と本実施形態のレンズホルダ１２０の全長及び対物レンズの位置の比較を示す。図１２は、従来のレンズホルダ及び本実施形態に係るレンズホルダを示す上面図である。
【００７０】
従来のレンズホルダ２０は、余剰部分１２１Ａを除いて本実施形態のレンズホルダ１２０とほぼ同様の構成である。レンズホルダ２０は、レンズ保持部２１と駆動受け部２２の２つの領域からなる。レンズ保持部２１は、対物レンズ６０，６１を保持する。駆動受け部２２は、貫通孔２３，２４を有し、貫通孔２３には駆動コイル２５が設けられ、貫通孔２４には駆動コイル２６が設けられる。
【００７１】
図１２に示すように、従来のレンズホルダ２０に設けられた駆動コイル２５と、本実施形態のレンズホルダ１２０に設けられた駆動コイル１２５を一致させたとき、レンズホルダ１２０の全長が従来のレンズホルダ２０に比べて伸長していることが分かる。また、対物レンズ１６０，１６１の中心が、従来の対物レンズ６０，６１に比べて駆動受け部１２２側に寄せられている。この結果、本実施形態のレンズホルダ１２０では、レンズホルダ１２０に２次共振による振動が発生したとき、振動の節が対物レンズ１６０，１６１の中心と一致させることができる。
【００７２】
直径が約３ｍｍの対物レンズ１６０，１６１を保持するレンズホルダ１２０の場合について検討する。このとき、シミュレーション結果によれば、対物レンズ１６０，１６１の端部からレンズホルダ１２０の一端部までの余剰部分１２１Ａの長さを１．８ｍｍとすることで、振動の節が対物レンズ１６０，１６１の中心と一致させることができることができた。
【００７３】
図１３に、従来のレンズホルダ２０の周波数特性と、本実施形態のレンズホルダ１２０の周波数特性を示す。図１３（Ａ）に示すように、レンズホルダ２０では、１０ｋＨｚを超えたあたりに振幅（共振のピーク）が生じている。レンズホルダ２０の共振のピークは光ピックアップのサーボに悪影響を与える。そのため、共振周波数を高くしたり、ピークが低くなるような材料を選択したりする。共振周波数を高くするには剛性の高い材料を選択し、ピークを低くするにはダンピングの良い材料を選択する。指標としては１ｋＨｚからどれだけのゲインマージンが取れるかで判断される。ゲインマージンが大きいほうがサーボのカットオフを高く取れるため有利である。
【００７４】
レンズホルダは小型化の傾向があり、さらに２つの対物レンズを保持するという条件となると、レンズホルダの材料の選択だけではゲインマージンを高くとることができなかった。そこで、本実施形態では、この場合、対物レンズを保持するレンズ保持部１２１と駆動受け部１２２からなるレンズホルダ１２０の形状に着目し、レンズホルダ１２０に発生する２次共振による振動が対物レンズ１６０，１６１に影響を与えないような形状とすることとした。具体的には、レンズ保持部１２１に余剰部分１２１Ａを設けることとし、対物レンズ１６０，１６１の中心と振動の節の部分とを一致させることとした。その結果、レンズホルダ１２０には共振が発生するが、図１３（Ｂ）に示すように１０ｋＨｚを超えたあたりの共振ピークをなくすことができた。そして、次の共振のピークは更に高い周波数とすることができた。
【００７５】
ところで、上記の例の余剰部分１２１Ａが１．８ｍｍという長さは、対物レンズ１６０，１６１の直径が約３ｍｍという長さに比べて長いといえる。通常、レンズホルダの設計・製造では、対物レンズの端部からレンズホルダの一端部までの長さは、接着しろなどを考慮して約０．５〜１．０ｍｍ程度であればよい。また、対物レンズをレンズホルダの駆動受け部側に寄せることができた場合、寄せることで生じた余剰部分は削ってしまい、レンズホルダの全長を短くするのが一般的である。レンズホルダの全長を短くすることができれば、隣接する光学部品、例えばコリメータレンズとレンズホルダとの間隔を短縮することができ、近年の光ディスク装置の小型化の傾向に合わせて、光ピックアップ全体をコンパクトにすることができるからである。
【００７６】
一方、本実施形態では、レンズホルダの全長を短くするという短小化とは反対にあえてレンズホルダ１２０の全長を長くし、対物レンズ１６０，１６１を保持するレンズ保持部１２１の一端側に余剰部分１２１Ａを設けている。その結果、レンズホルダに発生する２次共振による振動の節の部分と対物レンズ１６０，１６１の中心とを一致させることができる。そして、対物レンズ１６０，１６１に生じる振幅の影響を低減することができるため、光ピックアップのサーボ制御が良くなり、レーザー光を光ディスク１０に対して精度良く照射することができる。
【００７７】
なお、上述したレンズ保持部１２１の余剰部分１２１Ａは、対物レンズ１６０，１６１が載置される必要最小限のスペース（レンズ保持部１２１）に対して突出して設けられた突設部ともいうことができる。このとき、図６〜図１０に示したレンズホルダ１２０では、対物レンズ１６０、１６１の中心を結ぶ仮想線上のレンズホルダ１２０の幅と、突設部の幅は同一である。一方、突設部は、対物レンズ１６０、１６１の中心を結ぶ仮想線上のレンズホルダ１２０の幅と異なってもよく、突設部のほうが短くてもよいし、長くてもよい。
【００７８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００７９】
例えば、上記実施形態では、レンズホルダ１２０の余剰部分１２１Ａの端部は突起部１２１Ｂが設けられている部分を除いてフラットであるとした。しかし、本発明はかかる例に限定されない。例えば、図１４に示すように、レンズホルダ２２０の端部には段差部が設けられてもよい。図１４は、本発明の第１の実施形態に係るレンズホルダの変形例を示す斜視図である。即ち、対物レンズ１６０の端部からレンズホルダ２２０の一端部までの余剰部分２２１Ｂと、対物レンズ１６１の端部からレンズホルダ２２０の一端部までの余剰部分１２１Ａの長さが異なる。これにより、レンズホルダ２２０に保持される対物レンズ１６０と対物レンズ１６１の直径が異なる場合でも、レンズホルダ２２０に発生する２次共振の振動の節と対物レンズ１６０，１６１の中心とを一致させることができる。
【図面の簡単な説明】
【００８０】
【図１】本発明の第１の実施形態に係る光ディスク装置の構成を示すブロック図である。
【図２】同実施形態に係る光ピックアップを示す平面図である。
【図３】同実施形態に係る光ピックアップを示す側面図である。
【図４】同実施形態に係る光ピックアップを示す斜視図である。
【図５】同実施形態に係るマグネット及びマグネット固定部を示す斜視図である。
【図６】同実施形態に係るレンズホルダを示す上面図であり、レンズホルダにおいて対物レンズが載置された側を示す。
【図７】同実施形態に係るレンズホルダを示す側面図である。
【図８】同実施形態に係るレンズホルダを示す下面図であり、図６で示したレンズホルダの反対の面を示す。
【図９】同実施形態に係るレンズホルダを示す斜視図であり、レンズホルダを図６で示した上面から見た図である。
【図１０】同実施形態に係るレンズホルダを示す斜視図あり、レンズホルダを図８で示した下面から見た図である。
【図１１】従来のレンズホルダを示す側面図と、２次共振による振動を示す模式図である。
【図１２】従来のレンズホルダ及び本発明の第１の実施形態に係るレンズホルダを示す上面図である。
【図１３】従来のレンズホルダの周波数特性と、本実施形態のレンズホルダの周波数特性を示すグラフである。
【図１４】本発明の第１の実施形態に係るレンズホルダの変形例を示す斜視図である。
【符号の説明】
【００８１】
１０      光ディスク
１００      光ディスク装置
１０２      光ピックアップ
１０４      スピンドルモータ
１０６      送りモータ
１０８      駆動制御部
１１０      信号処理部
１１２      信号変復調部
１１４      システムコントローラ
１１６      操作部
１１８      ２軸アクチュエータ
１２０      レンズホルダ
１２１      レンズ保持部
１２１Ａ      余剰部分
１２１Ｂ      突起部
１２２      駆動受け部
１２３，１２４      貫通孔
１２５，１２６      駆動コイル
１３２      マグネット
１４０      サスペンション固定部材
１４２      サスペンション
１５０，１５１      レーザーダイオード
１５２      プリズム
１５３      復路光学素子
１５４      フォトディテクタ
１５５      コリメータレンズ
１５６      反射ミラー
１６０，１６１      対物レンズ
【図１】
2009295217.tif 000003
【図２】
2009295217.tif 000004
【図３】
2009295217.tif 000005
【図４】
2009295217.tif 000006
【図５】
2009295217.tif 000007
【図６】
2009295217.tif 000008
【図７】
2009295217.tif 000009
【図８】
2009295217.tif 000010
【図９】
2009295217.tif 000011
【図１０】
2009295217.tif 000012
【図１１】
2009295217.tif 000013
【図１２】
2009295217.tif 000014
【図１３】
2009295217.tif 000015
【図１４】
2009295217.tif 000016